(57)【要約】【課題】作業時間と作業者の筋力を必要とせず、しかもメンテナンス開口を広く開放することができるパネルの取り外し方法を提供する。【解決手段】正面を覆うパネル７を備える戸袋３と、戸袋３に進退自在に支持されて、閉扉時には戸袋３の外部に引き出され、開扉時には戸袋３の内部に引き込まれる扉体４とを備える可動ホーム柵１の戸袋３から、パネル７を取り外す方法であって、扉体４を戸袋３の外部に引き出す工程と、扉体４にパネル持ち上げ治具２２を取り付ける工程と、パネル持ち上げ治具２２が取り付けられた扉体４を戸袋３の内部に引き込む工程と、パネル持ち上げ治具２２の支持部を扉体４に対して上昇させて、パネル７を持ち上げる工程と、パネル７とパネル持ち上げ治具２２を扉体４とともに、戸袋３の外部に引き出す工程とを備える。【選択図】図６
2019023051.tif 000002
【特許請求の範囲】
【請求項１】
正面を覆うパネルを備える戸袋と、前記戸袋に進退自在に支持されて、閉扉時には前記戸袋の外部に引き出され、開扉時には前記戸袋の内部に引き込まれる扉体とを備える可動ホーム柵の前記戸袋から、前記パネルを取り外す方法であって、
前記扉体を前記戸袋の外部に引き出す工程と、
前記扉体にパネル持ち上げ治具を取り付ける工程と、
前記パネル持ち上げ治具が取り付けられた前記扉体を前記戸袋の内部に引き込む工程と、
前記パネル持ち上げ治具の支持部を前記扉体に対して上昇させて、前記パネルを持ち上げる工程と、
前記パネルと前記パネル持ち上げ治具を前記扉体とともに、前記戸袋の外部に引き出す工程とを備える、
パネル取り外し方法。
【請求項２】
請求項１に記載のパネル取り外し方法に使用されるパネル持ち上げ治具であって、
前記扉体に取り付けられる基部と、
前記パネルを支持する支持部と、
前記支持部を前記扉体に対して昇降させる昇降手段と、を備える、
パネル持ち上げ治具。
【請求項３】
前記昇降手段は、前記基部に螺合されて、前記基部に対して進退するねじである、
請求項２に記載のパネル持ち上げ治具。
【請求項４】
前記支持部に、前記パネルに当接して転動するローラを備える、
請求項２又は請求項３に記載のパネル持ち上げ治具。
【請求項５】
正面を覆うパネルを備える戸袋と、前記戸袋に進退自在に支持されて、閉扉時には前記戸袋の外部に引き出され、開扉時には前記戸袋の内部に引き込まれる扉体とを備える可動ホーム柵であって、
前記パネルに、請求項２から請求項４のいずれか一項に記載のパネル持ち上げ治具の前記支持部と当接する治具承け部材を備える、
可動ホーム柵。
【発明の詳細な説明】
【技術分野】
【０００１】
この発明は、可動ホーム柵の戸袋を覆うパネルの取り外し方法、該方法に使用されるパネル持ち上げ治具、及び該方法が適用される可動ホーム柵に関する。
【背景技術】
【０００２】
可動ホーム柵は鉄道駅のプラットホームに設置される一種の自動ドア装置である。可動ホーム柵はプラットホームに列車が到着すると開扉されて、乗客の列車への乗降を可能にし、乗降客の乗降が終わると閉扉される。
【０００３】
特許文献１の図１には、ガイドボックスと、ガイドボックスに進退自在に支持されるドア部を備えるホームドア装置が開示されている。ガイドボックスはプラットホームに固定される基台と、基台に固定されるケーシングを有していて、ケーシングの内部には、ドア部を進退させる駆動機構が内蔵されている。ケーシングのホーム内側の側部壁には、駆動機構に対してメンテナンスを行うための開口部が形成されている。また、側部壁には、開口部を開閉する蓋部が着脱自在に取り付けられている。なお、ガイドボックスは戸袋に相当し、ドア部は扉体に相当する。
【０００４】
特許文献２の図３には、プラットホームに固定される柵部と、柵部に移動可能に支持されるドア部を備えるホームドア装置が開示されている。柵部の内部には、ドア部、ドア部をスライドさせる駆動機構とガイド機構、ドア部の開閉に関する移動を制御する制御部、及び、電源部等の機器類が配置されている。また、柵部は、荷重を支持する本体部と、柵部の正面を覆うカバーを備えている。なお、柵部は戸袋に相当する。
【先行技術文献】
【特許文献】
【０００５】
【特許文献１】特開２０１０−１８８８９６号公報
【特許文献２】特開２０１６−２１５８２８号公報
【発明の概要】
【発明が解決しようとする課題】
【０００６】
特許文献１に開示されたホームドア装置は、蓋部をケーシングから取り外すことによって、ケーシングの外部から駆動装置にアクセスして、駆動装置のメンテナンスを行うことができる。
【０００７】
しかしながら、特許文献１に開示されたホームドア装置においては、作業者の手で蓋部をケーシングから取り外す必要がある。また、メンテナンスの終了後に、蓋部を再びケーシングに取り付ける際には、作業者の手で蓋部を持ち上げる必要がある。そのため、蓋部の着脱に、時間と作業者の筋力を要するという問題がある。
【０００８】
特許文献２に開示されたホームドア装置においては、柵部の正面を覆うカバーが、面内方向に対して平行に移動可能に、本体部に支持されている。そのため、カバーの開閉には、さほどの手間と筋力を必要としない。
【０００９】
しかしながら、カバーは、本体部に固定されたレールによって本体部に支持されている。そのため、本体部を全幅に渉って開放しようとすると、カバーがレールから外れるという問題がある。つまり、特許文献２に開示されたホームドア装置においては、カバーの移動ストロークが制限されるので、開放される範囲が限定されるという問題がある。
【００１０】
本発明は、このような背景の下でなされたものであり、可動ホーム柵の戸袋を覆うパネルの取り外し方法であって、作業時間と作業者の筋力を必要とせず、しかもメンテナンス開口を広く開放することができるパネルの取り外し方法を提供することを目的とする。また、該方法に使用されるパネル持ち上げ治具と、該方法が適用される可動ホーム柵を提供することを目的とする。
【課題を解決するための手段】
【００１１】
本発明に係るパネルの取り外し方法は、正面を覆うパネルを備える戸袋と、戸袋に進退自在に支持されて、閉扉時には戸袋の外部に引き出され、開扉時には戸袋の内部に引き込まれる扉体とを備える可動ホーム柵の戸袋から、パネルを取り外す方法であって、扉体を戸袋の外部に引き出す工程と、扉体にパネル持ち上げ治具を取り付ける工程と、パネル持ち上げ治具が取り付けられた扉体を戸袋の内部に引き込む工程と、パネル持ち上げ治具の支持部を扉体に対して上昇させて、パネルを持ち上げる工程と、パネルとパネル持ち上げ治具を扉体とともに、戸袋の外部に引き出す工程とを備えるものである。
【発明の効果】
【００１２】
本発明によれば、パネル持ち上げ治具を使って、パネルを持ち上げて、パネルとパネル持ち上げ治具を扉体とともに、戸袋の外部に引き出すことができる。そのため、パネルを戸袋から取り外す作業における作業者の肉体的負担を軽減することができる。また、戸袋の外部に、扉体とともにパネルを引き出すので、戸袋の正面を大きく開放することができる。
【図面の簡単な説明】
【００１３】
【図１】本発明の実施の形態に係る可動ホーム柵をプラットホームに配列した状態を示す外形図であって、（Ａ）は可動ホーム柵が出入口を閉鎖した状態をホーム側から見る正面図、（Ｂ）は可動ホーム柵が出入口を開放した状態をホーム側から見る正面図
【図２】図１に示した可動ホーム柵の外形図であり、（Ａ）は可動ホーム柵をホーム側の高所から見る斜視図、（Ｂ）は可動ホーム柵をホーム側から見る正面図、（Ｃ）は可動ホーム柵を上方から見る平面図
【図３】図１に示した可動ホーム柵の戸袋の内部に配置された駆動機構の構成を示す図であって、（Ａ）は可動ホーム柵が出入口を閉鎖した状態を示す正面図、（Ｂ）は可動ホーム柵が出入口を開放した状態を示す正面図、（Ｃ）はラック案内体を（Ｂ）においてＤＤ’線で示す平面で切断した横断面図、（Ｄ）はラック収納体を（Ｂ）においてＤＤ’線で示す平面で切断した横断面図
【図４】図１に示した可動ホーム柵を、図３（Ｂ）において矢印Ｃで示す方向から見る矢視図
【図５】本発明の実施の形態に係るパネルの取り外し方法に使用されるパネル持ち上げ治具の構成を示す図であって、（Ａ）は斜視図、（Ｂ）は（Ａ）において矢印Ｅで示す方向から見る矢視図
【図６】本発明の実施の形態に係るパネルを取り外す過程を時系列に従って示す可動ホーム柵の正面図であって、（Ａ）は扉体が戸袋の外部に引き出された状態を示す図、（Ｂ）は扉体の上辺にパネル持ち上げ治具が取り付けられた状態を示す図、（Ｃ）は扉体が戸袋の内部に引き込まれた状態を示す図
【図７】本発明の実施の形態に係るパネルを取り外す過程を時系列に従って示す図であって、（Ａ）はパネル持ち上げ治具が戸袋の内部に引き込まれた状態を示す図、（Ｂ）はパネル持ち上げ治具によってパネルが持ち上げられた状態を示す図、（Ｃ）はパネルが取り外された状態を示す可動ホーム柵の正面図
【図８】図５に示したパネル持ち上げ治具の変形例を示す図であって、（Ａ）はパネル持ち上げ治具の斜視図、（Ｂ）は変形例に掛かるパネル持ち上げ治具の作用を示す可動ホーム柵の正面図
【図９】図５に示したパネル持ち上げ治具の別の変形例を示す図であって、（Ａ）は支持部を降下させた状態を示す説明図、（Ｂ）は支持部を上昇させた状態を示す説明図
【図１０】図４に示した冶具承け部材の変形例を示す図であって、（Ａ）は冶具承け部材の斜視図、（Ｂ）は冶具承け部材を（Ａ）において矢印Ｆで示す方向から見る矢視図
【図１１】図１に示した可動ホーム柵の駆動機構の配置の変形例を示す可動ホーム柵の正面図
【図１２】図３及び図１１に示した可動ホーム柵が備える連結部材の構成を示す図であって、（Ａ）は連結部材を分解した状態を示す斜視図、（Ｂ）は連結部材と可撓性ラックを結合して扉体に固定した状態を示す正面図
【図１３】図１に示した可動ホーム柵を、図２（Ｂ）においてＡＡ’線で示す平面で切断して示す横断面図
【図１４】図１に示した可動ホーム柵の細部の構成を示す図であって、（Ａ）はフードを支持するヒンジの形態を示す斜視図、（Ｂ）はフードを支持するトルクヒンジの形態を示す斜視図
【図１５】図１に示した可動ホーム柵の細部の構成を示す図であって、可動ホーム柵を、図２（Ｂ）においてＢＢ’線で示す平面で切断して示す横断面図
【発明を実施するための形態】
【００１４】
以下、本発明の実施の形態に係る可動ホーム柵について、図面を参照しながら詳細に説明する。なお、各図面においては、同一または同等の部分に同一の符号を付している。
【００１５】
（全体構成）
図１（Ａ）と図１（Ｂ）は、この発明の実施の形態に係る複数台の可動ホーム柵１を、設置場所である鉄道駅のプラットホームの床面２に設置した状態をホームから見た外形図である。図１（Ａ）は、プラットホームに列車５が到着していない状態を示していて、図１（Ｂ）はプラットホームに列車５が到着している状態を示している。
【００１６】
図１（Ａ）に示すように、床面２には、３台の可動ホーム柵１が直列に配列されている。可動ホーム柵１は戸袋３と扉体４を備えている。プラットホームに列車５が到着していない状態、つまり図１（Ａ）に示す状態においては、扉体４は戸袋３の外に引き出されている。そして、隣接する可動ホーム柵１の扉体４の戸先は、出入口６の中央において、互いに当接している。その結果、出入口６は２枚の扉体４によって閉鎖される。
【００１７】
プラットホームに列車５が到着すると、図１（Ｂ）に示すように、各可動ホーム柵１の扉体４は戸袋３の中に引き込まれる。その結果、出入口６が開放されて、乗降客の乗降が可能になる。乗降客の乗降が完了すると、各扉体４は、再び、戸袋３から引き出されて、出入口６は再び閉鎖される。つまり、図１（Ａ）に示す状態に戻る。なお、可動ホーム柵１は、図示しない制御装置で制御されて自動的に運転される。
【００１８】
図２（Ａ）は、は可動ホーム柵１をホーム側の高所から見る斜視図であり、図２（Ｂ）は可動ホーム柵１をホーム側から見る正面図であり、図２（Ｃ）は可動ホーム柵１を上方から見る平面図である。
【００１９】
図２（Ａ）と図２（Ｂ）に示すように、戸袋３は、全体として直方体をなす筐体であり、そのホーム側の正面はパネル７によってカバーされている。パネル７は、平坦なガラス板である。後述するように、戸袋３の内部には扉体４を戸袋３に対して進退させる駆動機構が配置されていて、パネル７を取り外すことによって、外部から駆動機構にアクセスしてメンテナンスを行うことが可能になる。つまり、パネル７を取り外すことによって、メンテナンス開口が開放される。
【００２０】
戸袋３の上部にはフード８が取り付けられている。フード８には、上蓋９が開閉自在に取り付けられている。戸袋３の上部のフード８で覆われた部位には、可動ホーム柵１を制御する制御装置が内蔵されている。上蓋９は制御装置の操作盤の上方を覆う蓋であって、上蓋９を開放すれば、制御装置の操作盤へのアクセスが可能になる。
【００２１】
図２（Ｃ）に示すように、戸袋３の軌道側には、ＳＲボックス１０と進入防止材１１が取り付けられている。ＳＲボックス１０は戸袋３の軌道側のエリアへの乗客の進入を検出するセンサを収容する筐体である。進入防止材１１は戸袋３の軌道側のエリアへの乗客の進入を妨げる平板状の部材である。
【００２２】
（駆動機構）
次に、図１に示した可動ホーム柵１において、戸袋３の内部に配置されて、扉体４を戸袋３に対して進退させる駆動機構の構成を、図３（Ａ）と図３（Ｂ）を参照して説明する。なお、図３（Ａ）と図３（Ｂ）は、可動ホーム柵１をホーム側から見る正面図であって、戸袋３からパネル７を取り外した状態を示している。図３（Ａ）は扉体４が戸袋３の外に引き出された状態を、図３（Ｂ）は扉体４が戸袋３の中に引き込まれた状態を、それぞれ示している。
【００２３】
図３（Ａ）と図３（Ｂ）に示すように、戸袋３の内部には、扉体４が進退する方向に延びるリニアガイド１２が固定されている。リニアガイド１２には、２台のリニアガイドベアリング１３が摺動自在に取り付けられている。リニアガイドベアリング１３は扉体４を支持している。このように、扉体４は、リニアガイド１２とリニアガイドベアリング１３を介して、戸袋３に進退自在に支持されていて、図３（Ａ）に示す位置と図３（Ｂ）に示す位置の間を移動することができる。また、戸袋３は２本の支柱１４Ｌ，１４Ｒを備えていて、支柱１４Ｌ，１４Ｒの下端は、プラットホームの床面２に固定されている。
【００２４】
戸袋３の内部には、ラック案内体１５とラック収納体１６が固定されている。ラック案内体１５とラック収納体１６の内部には、可撓性ラック１７が配置されている。可撓性ラック１７は、一種の歯付きベルトである。ラック案内体１５は可撓性ラック１７を扉体４の進退方向に進退させる案内部材であって、図３（Ｃ）に示すように、横断面形において「Ｃ」字形を成していて下端面の一部が切り開けられている。可撓性ラック１７の歯１７ａはラック案内体１５の切り開けられた部分を通って、ラック案内体１５の下方に露出している。ラック収納体１６は、可撓性ラック１７のラック案内体１５から引き出された部位を収納する部材であって、図３（Ｄ）に示すように、横断面形において「ロ」字形を成している。
【００２５】
図３（Ａ）と図３（Ｂ）に示すように、ラック案内体１５とラック収納体１６は互いに連結されて、全体として「コ」字形を成している。つまり、可撓性ラック１７は、ラック案内体１５とラック収納体１６を組み合わせて構成される「コ」字形の部材に支持されて、該部材の中で進退する。また、ラック案内体１５とラック収納体１６は、支柱１４Ｌとの干渉を避けるために、支柱１４Ｌの右側に配置されている。
【００２６】
可撓性ラック１７の端部は、連結部材１８を介して、扉体４に連結されている。また、可撓性ラック１７は、図示しない電動機によって回転駆動されるピニオン１９と噛み合わされている。ピニオン１９を図３（Ａ）において、矢印ＣＣＷで示す方向に、つまり反時計回りに回転させると、可撓性ラック１７は、ラック案内体１５から引き出されて、ラック収納体１６に収納される方向に移動する。扉体４は連結部材１８を介して可撓性ラック１７に連結されているので、可撓性ラック１７がラック収納体１６に収納される方向に移動すると、扉体４は可撓性ラック１７に引かれて、図３（Ａ）において、矢印ＢＷＤで示す方向に移動する。その結果、扉体４は戸袋３の中に引き込まれる。
【００２７】
一方、ピニオン１９を図３（Ｂ）において、矢印ＣＷで示す方向に、つまり時計回りに回転させると、可撓性ラック１７は、ラック収納体１６から引き出されて、ラック案内体１５に押し入れられる。扉体４は連結部材１８を介して可撓性ラック１７に連結されているので、可撓性ラック１７がラック案内体１５に押し入れられると、扉体４は可撓性ラック１７に押されて、図３（Ｂ）において、矢印ＦＷＤで示す方向に移動する。その結果、扉体４は戸袋３の外に引き出される。
【００２８】
なお、前述したように、可動ホーム柵１は２枚の扉体４を備えていて、各扉体４のそれぞれに、上記のような駆動機構を備えている。つまり、図３（Ａ）において、戸袋３の左側に引き出される扉体４は、図示しない別の駆動機構によって駆動されて、戸袋３に対して進退される。
【００２９】
（パネル支持構造）
次に、図４を参照して、戸袋３のパネル７を支持する構造について説明する。なお、図４は可動ホーム柵１を、図３（Ｂ）において矢印Ｃで示す方向から見る矢視図である。また、図４においては、戸袋３の扉体４が進退する側の端面を覆うパネル、つまり戸袋３を矢印Ｃで示す方向から見る場合に、正面に見えるパネルを取り外した状態を示している。
【００３０】
図４に示すように、戸袋３の上部には、パネル７を支持する支持枠２０が固定されている。パネル７の上縁には金属製の保護枠２１が嵌め込まれている。保護枠２１は支持枠２０の中に嵌め込まれている。また、支持枠２０と保護枠２１の間には隙間があるので、パネル７の、紙面に垂直な方向の移動は支持枠２０によっては拘束されない。つまり、扉体４が進退する方向の、パネル７の移動は支持枠２０によっては拘束されない。また、支持枠２０と保護枠２１の間には、上下方向においても隙間があるので、パネル７を上方に移動させることができる。つまり、パネル７を上方に持ち上げることができる。なお、図示していないが、戸袋３の下部にも支持枠２０が固定されている。パネル７の下縁は戸袋３の下部に固定された図示しない支持枠２０に当接していて、パネル７の重量は、主として、戸袋３の下部に固定された図示しない支持枠２０によって支持される。
【００３１】
また、図４に示すように、保護枠２１は、パネル７を挟持して、パネル７に固定される固定部２１ａと、断面形において逆「Ｌ」字形をなす承け部２１ｂを備えている。
【００３２】
（パネル持ち上げ治具）
図５を参照して、後述するパネル７の取り外し方法において使用されるパネル持ち上げ治具２２の構成を説明する。なお、図５（Ａ）はパネル持ち上げ治具２２の斜視図であり、図５（Ｂ）はパネル持ち上げ治具２２を図５（Ａ）において矢印Ｅで示す方向から見る矢視図である。
【００３３】
図５（Ａ）と図５（Ｂ）に示すように、パネル持ち上げ治具２２は、扉体４の上端が嵌め込まれる基部２２ａと、扉体４を支持する支持部２２ｂを備えていて、側面形において「ｈ」字形をなしている。また、パネル持ち上げ治具２２の基部２２ａには、複数個の持ち上げねじ２２ｃが螺合されている。持ち上げねじ２２ｃを回転させると、持ち上げねじ２２ｃは基部２２ａに対して進退する。
【００３４】
（パネルの取り外し方法）
次に、図６と図７を参照して、パネル持ち上げ治具２２を用いてパネル７を戸袋３から取り外す手順を、時系列に従って説明する。パネル７を扉体４から取り外す際には、まず、図６（Ａ）に示すように、扉体４を戸袋３の外に引き出す。次に図６（Ｂ）に示すように、扉体４の上辺にパネル持ち上げ治具２２を取り付ける。その後、図６（Ｃ）に示すように、パネル持ち上げ治具２２が取り付けられた扉体４を戸袋３の中に引き込む。図７（Ａ）に示すように、戸袋３の内部には、パネル持ち上げ治具２２が取り付けられた扉体４を収容する余積が形成されていて、パネル持ち上げ治具２２が取り付けられた扉体４が戸袋３の中に引き込まれると、パネル持ち上げ治具２２の支持部２２ｂは、パネル７と保護枠２１の間の隙間に差し込まれる。
【００３５】
戸袋３の上面の、パネル持ち上げ治具２２の持ち上げねじ２２ｃの直上に位置する部位には、開口３ａが形成されていて、図７（Ｂ）に示すように、開口３ａから工具２３を戸袋３の中に差し込んで、持ち上げねじ２２ｃと係合させることができる。工具２３を回転させて持ち上げねじ２２ｃを回転させると、持ち上げねじ２２ｃを基部２２ａに対して進退させることができる。持ち上げねじ２２ｃを基部２２ａの下方に移動させて、持ち上げねじ２２ｃの先端を扉体４の上端面４ａに当接させて、更に持ち上げねじ２２ｃを基部２２ａの下方に移動させると、パネル持ち上げ治具２２は持ち上げねじ２２ｃによって押し上げられて、扉体４に対して上昇する。なお、パネル持ち上げ治具２２の支持部２２ｂの高さｈ（図５（Ｂ）参照）は、保護枠２１の承け部２１ｂの深さｄ（図４参照）よりも大きくされている。そのため、パネル持ち上げ治具２２が更に上昇すると、パネル持ち上げ治具２２の支持部２２ｂの上端が保護枠２１の承け部２１ｂの上端の下面に当接する。前述したように、パネル７の保護枠２１と戸袋３の支持枠２０との間には上下方向に隙間があるので、工具２３を更に回転させて、パネル持ち上げ治具２２を更に上昇させると、保護枠２１とパネル７は、パネル持ち上げ治具２２によって、上方に持ち上げられる。このように、パネル持ち上げ治具２２の支持部２２ｂは保護枠２１の承け部２１ｂに当接して、パネル７を支持して、パネル７を上方に持ち上げることができる。保護枠２１の承け部２１ｂは、パネル７の治具承け部材として機能する。また、持ち上げねじ２２ｃは、パネル持ち上げ治具２２の支持部２２ｂを扉体４に対して昇降させる昇降手段として機能する。
【００３６】
なお、パネル持ち上げ治具２２の支持部２２ｂの高さと、持ち上げねじ２２ｃの昇降ストロークは、図７（Ａ）に示す状態においては、パネル持ち上げ治具２２の支持部２２ｂが保護枠２１の承け部２１ｂから離隔した位置にあり、図７（Ｂ）に示す状態においては、支持部２２ｂが承け部２１ｂに当接して、パネル持ち上げ治具２２がパネルを持ち上げることができるように設計される。
【００３７】
このように、パネル７は、パネル持ち上げ治具２２によって上方に持ち上げられて、扉体４に支持される。そして、この状態のまま、扉体４を戸袋３の外に引き出すと、図７（Ｃ）に示すように、パネル７は扉体４と共に、戸袋３の外側に移動する。その結果、戸袋３の正面が開放されて、戸袋３の内部に配置された駆動機構へのアクセスが可能になる。パネル７は、以上のプロセスを経て、戸袋３から取り外される。なお、パネル７を戸袋３に取り付ける際には、以上のプロセスの逆を辿って行う。
【００３８】
（パネル持ち上げ治具の変形例）
パネル持ち上げ治具２２は、図８（Ａ）に示すように、構成されていても良い。すなわち、パネル持ち上げ治具２２の支持部２２ｂに複数個のローラ２２ｄを回転自在に取り付けて、扉体４がローラ２２ｄで支持されるようにしても良い。このように、パネル持ち上げ治具２２にローラ２２ｄを備えれば、ローラ２２ｄを扉体４に当接させた状態で、ローラ２２ｄが転動するので、パネル持ち上げ治具２２に支持された扉体４を、パネル持ち上げ治具２２上で容易にスライドさせることができる。そのため、図８（Ｂ）に示すように、扉体４と共に、戸袋３の外側に引き出されたパネル７を、更に戸袋３の外側に移動させて、戸袋３の正面を、更に広く開放することができる。また、図８（Ｂ）に示すように、パネル持ち上げ治具２２は、扉体４に取り付けた場合に、扉体４の外側（図に置いて右方）にオーバーハングをするような寸法を有していても良い。このようにすれば、扉体４を、パネル持ち上げ治具２２上でスライドさせた場合に、扉体４は、その全幅において、パネル持ち上げ治具２２に保持される。そのため、扉体４はパネル持ち上げ治具２２で、安定して保持される。
【００３９】
（パネル持ち上げ治具の別の変形例）
パネル持ち上げ治具２２は、基部２２ａが扉体４の上辺に固定されるものには限定されない。また、パネル持ち上げ治具２２の全体が扉体４に対して昇降するものには限定されない。図９（Ａ）、（Ｂ）に示すように、パネル持ち上げ治具２２の基部２２ａを、固定ねじ２２ｅで扉体４の側面に固定するようにしても良い。また、パネル持ち上げ治具２２の全体が扉体４に対して昇降するものには限定されない。図９（Ａ）、（Ｂ）に示すように、基部２２ａと螺合する部位に左ねじ２２ｌが形成され、支持部２２ｂと螺合する部位に右ねじ２２ｒが形成された昇降ねじ２２ｆで、基部２２ａと支持部２２ｂを連結するようにしても良い。このように構成すれば、昇降ねじ２２ｆを回転させることによって、基部２２ａと支持部２２ｂの間の高さ方向の距離を変更することができる。そのため、図９（Ａ）に示す位置と、図９（Ｂ）に示す位置の間で、支持部２２ｂを扉体４に対して昇降させることができる。
【００４０】
（保護枠の変形例）
保護枠２１は、図１０（Ａ）に示すように、構成されていても良い。すなわち、保護枠２１は、承け部２１ｂを備える代わりに、固定部２１ａの側面に複数個のピン２１ｃを備えても良い。ピン２１ｃは、図１０（Ｂ）に示すように、ピン本体２１ｄとフランジ２１ｅを備えている。ピン本体２１ｄはパネル持ち上げ治具２２の支持部２２ｂが当接する部位であり、フランジ２１ｅは支持部２２ｂの外れ止めとして機能する部位である。
【００４１】
（駆動機構の配置の変形例）
扉体４を戸袋３に対して進退させる駆動機構は、図１１に示すように配置されても良い。すなわち、支柱１４Ｌに、支柱１４Ｌを貫通する開口１４ｏを形成して、ラック収納体１６の一部が、開口１４ｏを通って、支柱１４Ｌの左側に露出するように配置しても良い。このようにすれば、駆動機構の動作ストロークを拡大することができる。言い替えれば、扉体４の幅を拡大することができる。
【００４２】
（可動ホーム柵の細部の構成）
（連結部材）
最後に、可動ホーム柵１の細部の構成を説明する。まず、連結部材１８の具体的な構成を説明する。図１２（Ａ）に示すように、連結部材１８は、扉体４に固定される本体部材１８ａと、ラック案内体１５に摺動自在に支持される摺動部材１８ｂと、摺動部材１８ｂを本体部材１８ａに固定する固定ねじ１８ｃを備えている。また、本体部材１８ａには、可撓性ラック１７の歯１７ａと係合する３個の係合孔１８ｄが形成されている。可撓性ラック１７は、歯１７ａを係合孔１８ｄに係合させることによって、本体部材１８ａに連結される。
【００４３】
図１２（Ｂ）は、連結部材１８と可撓性ラック１７を結合して扉体４に固定した状態を示す正面図である。図１２（Ｂ）に示すように、可撓性ラック１７と摺動部材１８ｂは、共に、ラック案内体１５に摺動自在に支持されて、矢印±Ｘで示す方向に自在に摺動する。そして、本体部材１８ａは固定ねじ１８ｃによって摺動部材１８ｂに固定されているので、扉体４が戸袋３（図１２（Ｂ）において図示せず）に対して進退する過程において、本体部材１８ａが可撓性ラック１７に対して変位することがない。つまり、本体部材１８ａが可撓性ラック１７に対して上下に移動したり、傾いたりすることがない。そのため、可撓性ラック１７の歯１７ａが本体部材１８ａの係合孔１８ｄから外れることがない。つまり、扉体４が戸袋３に対して進退する過程において、可撓性ラック１７が連結部材１８から外れることがない。
【００４４】
また、連結部材１８は、可撓性ラック１７の歯１７ａを係合孔１８ｄに係合させるので、可撓性ラック１７の本体部材１８ａと連結される部位に、加工を施す必要がない。つまり、可撓性ラック１７に孔を開けたり、一部を切り欠いたりする必要がない。そのため、孔や切欠きの特定の部位に応力が集中して、可撓性ラック１７に損傷が生じることがない。
【００４５】
（フード）
図１３は、可動ホーム柵１を、図２（Ｂ）においてＡＡ’線で示す平面で切断して示す横断面図である。図１３に示すように、フード８の先端の、フード８を閉じた場合にパネル７の上部を覆う部位には、クッション部材８ａが取り付けられている。フード８を閉じた場合に、クッション部材８ａはパネル７の上部に当接して、パネル７を押圧する。その結果、パネル７は戸袋３のフレーム３ｂに押し付けられるので、戸袋３の支持枠２０とパネル７の保護枠２１との間の隙間に起因するガタツキが生じない。
【００４６】
フード８は、図１４（Ａ）に示すように、ヒンジ２４を介して、戸袋３に取り付けられている。図１４（Ｂ）に示すように、ヒンジ２４の代わりに、トルクヒンジ２４’を介して、フード８を戸袋３に取り付けても良い。トルクヒンジ２４’は、ばね要素を備えるヒンジであって、フード８を持ち上げる方向にトルクを発生させることができる。そのため、小さな力でフード８を開放することができる。また、トルクヒンジ２４’が発生させるトルクは、フード８の落下を妨げる方向に働く。そのため、トルクヒンジ２４’の不用意な落下を抑制するブレーキとして機能する。
【００４７】
（上蓋）
図１５は、可動ホーム柵１を、図２（Ｂ）においてＢＢ’線で示す平面で切断して示す横断面図である。図１５に示すように、上蓋９はヒンジ２５を介してフード８に取り付けられている。また、フード８の内部の上蓋９によって塞がれる部位には、操作盤２６が配置されていて、上蓋９を開放すると、外部から操作盤２６にアクセスすることが可能になる。また、戸袋３の上部には、フード８に固定された掛け金８ｂと係合するラッチ２７と、ラッチ２７を掛け金８ｂに対して進退させる開錠レバー２８が配置されている。開錠レバー２８は、フード８の内部の上蓋９によって塞がれる部位に配置されている。そのため、上蓋９を開放すると、外部から開錠レバー２８にアクセスすることが可能になる。開錠レバー２８を操作して、ラッチ２７と掛け金８ｂの係合を解除すれば、フード８を開放することができる。
【００４８】
以上説明したように、上記実施の形態に係る可動ホーム柵１は、戸袋３の正面を覆うパネル７を備えていて、パネル持ち上げ治具２２を使って、パネル７を戸袋３から取り外すことができる。すなわち、扉体４の上辺にパネル持ち上げ治具２２を取り付けて、パネル持ち上げ治具２２が取り付けられた扉体４を戸袋３の内部に引き込んで、パネル持ち上げ治具２２でパネル７を持ち上げて支持して、その後で、パネル７とパネル持ち上げ治具２２を、扉体４とともに戸袋３の外側に引き出すことができる。そのため、パネル７を戸袋３から取り外す作業における作業者の肉体的な負担を軽減することができる。また、戸袋３の正面を広範囲に渉って開放することができる。つまり、メンテナンス開口を広く開放することができる。その結果、可動ホーム柵１のメンテナンスが容易になる。
【００４９】
なお、本発明の技術的範囲は、上記実施の形態と変形例によっては限定されない。本発明は特許請求の範囲に記載された技術的思想の限りにおいて、自由に応用、変形あるいは改良して、実施することができる。
【００５０】
上記実施の形態と変形例に示したパネル持ち上げ治具２２は、本発明に係るパネル持ち上げ治具の具体的な構成の例示であって、本発明の技術的範囲は、パネル持ち上げ治具２２によっては限定されない。パネル持ち上げ治具の形状、寸法、構造、構成は任意に選択できる。また、上記実施の形態と変形例においては、パネル持ち上げ治具が備える昇降手段の具体例として、持ち上げねじ２２ｃと昇降ねじ２２ｆを例示したが、パネル持ち上げ治具は、その他の昇降手段を備えるものであっても良い。例えば、パネル持ち上げ治具２２に扉体４の上端面４ａに当接してパネル持ち上げ治具２２を持ち上げる梃子を備えて、開口３ａから挿入された工具で該梃子を操作して、パネル持ち上げ治具２２の扉体４から持ち上げるようにしても良い。また、扉体においてパネル持ち上げ治具を固定する位置は上辺と側面には限定されない。パネル持ち上げ治具を固定する位置は任意に選択することができる。パネル持ち上げ治具を固定する手段も任意に選択することができる。
【００５１】
要するに、パネル持ち上げ治具２２は、扉体４に取り付けられて、扉体４に支持される基部２２ａと、パネル７に当接して、パネル７を支持する支持部２２ｂと、支持部２２ｂを扉体４に対して昇降させる、何らかの昇降手段を備えていれば良い。パネル持ち上げ治具２２の形状、構造、構成は任意に選択することができる。
【００５２】
上記実施の形態と変形例においては、扉体４の戸先側の端部から戸尻側の端部に至る長さを有するパネル持ち上げ治具２２を例示したが、パネル持ち上げ治具２２は、このようなものには限定されない。パネル持ち上げ治具２２は、扉体４の戸先側の端部から戸尻側の端部に至る長さを有していなくても良い 。また、パネル持ち上げ治具２２は、扉体４の長さ方向において複数体に分割されても良い。あるいは、分割された複数体のパネル持ち上げ治具２２を、互いに間隔を空けて配列して、扉体４上に取り付けるようにしても良い。このような構成を選択すると、パネル持ち上げ治具２２の取り付け位置の選択の自由度が増す。そのため、持ち上げねじ２２ｃや昇降ねじ２２ｆ、つまり昇降手段の配置の選択の自由度が増すので、制御部や電源部を構成する機器類との干渉を避けて、昇降手段を配置することが容易になる。可動ホーム柵１の外部から昇降手段にアクセスする経路、つまり工具２３を通す経路を、前述した機器類と干渉しない位置に設けることが容易になる。
【００５３】
また、パネル持ち上げ治具２２は、扉体４の戸先側の部位と戸尻側の部位だけでパネル７を支持するものであっても良い。つまり、戸先と戸尻の間の中間部にパネル持ち上げ治具２２が配置されていなくても良い。あるいは、パネル持ち上げ治具２２は、戸先と戸尻の間の中間部だけでパネル７を支持するものであっても良い。つまり、扉体４の戸先側の部位と戸尻側の部位にパネル持ち上げ治具２２が配置されていなくても良い。また、パネル持ち上げ治具２２は、扉体４の戸先側の部位だけでパネル７を支持するものであっても良い。このような構成を選択しても、パネル７は支持枠２０で支持されているので、パネル７を戸袋３に対して進退させる過程で、パネル７が戸袋３から外れることはない。そのため、戸袋３のホーム側の正面のほぼ全部を開放することができる。
【００５４】
また、上記実施の形態においては、パネル７に取り付けられた保護枠２１の承け部２１ｂが治具承け部材として機能する例を示した。しかしながら、本件発明にかかる可動ホーム柵は、保護枠２１を備えるものには限定されないし、保護枠２１の一部が治具承け部材として機能するものには限定されない。パネル７自体に治具承け部材として機能する形状を備えるようにしても良い。保護枠２１以外のパネル７の付属品の一部が治具承け部材として機能するようにしても良い。あるいは、治具承け部材としてのみ機能する専用部品をパネル７に取り付けるようにしても良い。
【００５５】
本発明が適用される可動ホーム柵は、上記実施の形態に示した可動ホーム柵１には限定されない。戸袋は、支柱１４Ｌ，１４Ｒを備えるものには限定されない。戸袋の外郭を構成する筐体が床面２に直接固定されても良い。扉体の形状、寸法、構造、構成は任意に選択できる。また、本発明が適用される可動ホーム柵は、駆動機構に可撓性ラック１７を利用するものには限定されない。本発明が適用される可動ホーム柵は、送りねじ、プッシュプルチェーン、油気圧機器、ラック・ピニオン機構を利用するものであっても良い。あるいは、リニアモータで扉体４を直接駆動するものであっても良い。
【００５６】
上記実施の形態に示した連結部材１８の具体的な構成は例示である。本発明が適用される可動ホーム柵は、連結部材１８を備えるものには限定されない。
【００５７】
上記実施の形態において、フード８、上蓋９、ＳＲボックス１０、進入防止材１１は任意的構成要素である。つまり、本発明が適用される可動ホーム柵は、これらを備えないものであっても良い。
【００５８】
可動ホーム柵１とパネル持ち上げ治具２２を構成する素材は限定されない。特に、パネル７、支持枠２０、保護枠２１、を構成する素材は限定されない。各種の素材を任意に選択して構成することができる。
【産業上の利用可能性】
【００５９】
本発明は、可動ホーム柵に好適に利用することができる。
【符号の説明】
【００６０】
１  可動ホーム柵、２  床面、３  戸袋、３ａ  開口、３ｂ  フレーム、４  扉体、４ａ  上端面、５  列車、６  出入口、７  パネル、８  フード、８ａ  クッション部材、８ｂ  掛け金、９  上蓋、１０  ＳＲボックス、１１  進入防止材、１２  リニアガイド、１３  リニアガイドベアリング、１４Ｌ，１４Ｒ  支柱、１４ｏ  開口、１５  ラック案内体、１６  ラック収納体、１７  可撓性ラック、１７ａ  歯、１８  連結部材、１８ａ  本体部材、１８ｂ  摺動部材、１８ｃ  固定ねじ、１８ｄ  係合孔、１９  ピニオン、２０  支持枠、２１  保護枠、２１ａ  固定部、２１ｂ  承け部、２１ｃ  ピン、２１ｄ  ピン本体、２１ｅ  フランジ、２２  パネル持ち上げ治具、２２ａ  基部、２２ｂ  支持部、２２ｃ  持ち上げねじ、２２ｄ  ローラ、２２ｅ  固定ねじ、２２ｆ  昇降ねじ、２２ｌ  左ねじ、２２ｒ  右ねじ、２３  工具、  ２４  ヒンジ、２４’トルクヒンジ、２５  ヒンジ、２６  操作盤、２７  ラッチ、２８  開錠レバー
【図１】
2019023051.tif 000003
【図２】
2019023051.tif 000004
【図３】
2019023051.tif 000005
【図４】
2019023051.tif 000006
【図５】
2019023051.tif 000007
【図６】
2019023051.tif 000008
【図７】
2019023051.tif 000009
【図８】
2019023051.tif 000010
【図９】
2019023051.tif 000011
【図１０】
2019023051.tif 000012
【図１１】
2019023051.tif 000013
【図１２】
2019023051.tif 000014
【図１３】
2019023051.tif 000015
【図１４】
2019023051.tif 000016
【図１５】
2019023051.tif 000017